(57)【要約】【課題】  作業性を向上させることが可能な照明装置を提供すること。【解決手段】  固定側ケース１を有する支持ユニットＢ１と、支持ユニットＢ１に支持され且つ複数のＬＥＤチップ６を有するＬＥＤユニットＣ１と、を備える照明装置Ａ１であって、支持ユニットＢ１は、ｘ方向に離間した２つの係合部材２および当該２つの係合部材２に対してｙ方向に離間した弾性保持部材３を有し、ＬＥＤユニットＣ１は、ｘ方向に延びる軸周りに回転可能に係合部材２に係合し且つ弾性保持部材３の保持が解かれた状態で、ｚ方向に沿って重力に従って垂下した第１姿勢と、係合部材２に係合し且つ弾性保持部材３に保持され、弾性保持部材３の弾性力によってｙ方向に沿った姿勢で固定側ケース１に収容された第２姿勢と、をとる。【選択図】  図１７
2020035734.tif 000002
【特許請求の範囲】
【請求項１】
固定側ケースを有する支持ユニットと、
前記支持ユニットに支持され且つ複数のＬＥＤチップを有するＬＥＤユニットと、を備える照明装置であって、
前記支持ユニットは、第１方向に離間した２つの係合部材および当該２つの係合部材に対して前記第１方向と直角である第２方向に離間した弾性保持部材を有し、
前記ＬＥＤユニットは、
前記第１方向に延びる軸周りに回転可能に前記係合部材に係合し且つ前記弾性保持部材の保持が解かれた状態で、前記第１方向および前記第２方向と交差する第３方向に沿って重力に従って垂下した第１姿勢と、
前記係合部材に係合し且つ前記弾性保持部材に保持され、前記弾性保持部材の弾性力によって前記第２方向に沿った姿勢で前記固定側ケースに収容された第２姿勢と、
をとることを特徴とする、照明装置。
【請求項２】
前記ＬＥＤユニットは、前記ＬＥＤチップが配置される主支持部、前記第２姿勢において前記主支持部の前記第２方向両側に配置される２つの第１副支持部および前記主支持部の前記第１方向両側に配置される２つの第２副支持部を含む可動側ケースを有しており、
前記第１副支持部は、前記第１方向における端部に係合爪を有しており、
前記第２副支持部は、前記係合爪を前記第１方向に挿通させる挿通孔および当該挿通孔に挿通され且つ前記第１方向と交差する方向に折り曲げられた前記係合爪と係合する係合部を有する、請求項１に記載の照明装置。
【請求項３】
前記複数のＬＥＤチップは、発する光の色温度が互いに異なる第１ＬＥＤチップおよび第２ＬＥＤチップを含み、前記第１方向端部において前記第１ＬＥＤチップと前記第２ＬＥＤチップとが交互に配列されている、請求項１または２に記載の照明装置。
【請求項４】
前記ＬＥＤユニットは、前記複数のＬＥＤチップが搭載された主面を有するＬＥＤ基板と、前記複数のＬＥＤチップに電力を供給する電源部と、前記電源部に接続されたケーブルと、前記ＬＥＤ基板の前記主面に取り付けられ且つ前記ケーブルが接続される複数のコネクタと、を有しており、
前記ＬＥＤ基板は、前記ケーブルを挿通させるケーブル孔を有し、
前記コネクタは、前記第１ＬＥＤチップに電力を供給するための第１コネクタと、前記第２ＬＥＤチップに電力を供給する第２コネクタとを含み、
前記第１コネクタから前記ケーブル孔までの距離と、前記第２コネクタから前記ケーブル孔までの距離は、互いに異なる、請求項３に記載の照明装置。
【発明の詳細な説明】
【技術分野】
【０００１】
本発明は、照明装置に関する。
【背景技術】
【０００２】
ＬＥＤを光源として用いた種々の照明装置が提案されている。特許文献１には、従来の照明装置の一例が開示されている。同文献に開示された照明装置は、天井等に取り付けられるベース部に対して、カバーユニットが開閉可能に取り付けられている。カバーユニットには、ＬＥＤ光源が設けられる。ベース部には、トーションスプリング設けられている。このトーションスプリングが、カバーユニットに設けられたスプリング係合部に係合することにより、カバーユニットをベース部に引き寄せる弾性力が付与される。
【先行技術文献】
【特許文献】
【０００３】
【特許文献１】特開２０１５−１０３４６３号公報
【発明の概要】
【発明が解決しようとする課題】
【０００４】
カバーユニットが開状態をとる場合、カバーユニットのベース部に対する開き角度は、トーションスプリングの長さによって規制される。このため、ベース部とカバーユニットとの間の隙間の大きさが十分ではなく、たとえばベース部とカバーユニットとの間における配線作業等の作業性が阻害されていた。
【０００５】
本発明は、上記した事情のもとで考え出されたものであって、作業性を向上させることが可能な照明装置を提供することをその課題とする。
【課題を解決するための手段】
【０００６】
本発明によって提供される照明装置は、固定側ケースを有する支持ユニットと、前記支持ユニットに支持され且つ複数のＬＥＤチップを有するＬＥＤユニットと、を備える照明装置であって、前記支持ユニットは、第１方向に離間した２つの係合部材および当該２つの係合部材に対して前記第１方向と直角である第２方向に離間した弾性保持部材を有し、前記ＬＥＤユニットは、前記第１方向に延びる軸周りに回転可能に前記係合部材に係合し且つ前記弾性保持部材の保持が解かれた状態で、前記第１方向および前記第２方向と交差する第３方向に沿って重力に従って垂下した第１姿勢と、前記係合部材に係合し且つ前記弾性保持部材に保持され、前記弾性保持部材の弾性力によって前記第２方向に沿った姿勢で前記固定側ケースに収容された第２姿勢と、をとることを特徴としている。
【０００７】
本発明の好ましい実施の形態においては、前記ＬＥＤユニットは、前記ＬＥＤチップが配置される主支持部、前記第２姿勢において前記主支持部の前記第２方向両側に配置される２つの第１副支持部および前記主支持部の前記第１方向両側に配置される２つの第２副支持部を含む可動側ケースを有しており、前記第１副支持部は、前記第１方向における端部に係合爪を有しており、前記第２副支持部は、前記係合爪を前記第１方向に挿通させる挿通孔および当該挿通孔に挿通され且つ前記第１方向と交差する方向に折り曲げられた前記係合爪と係合する係合部を有する。
【０００８】
本発明の好ましい実施の形態においては、前記複数のＬＥＤチップは、発する光の色温度が互いに異なる第１ＬＥＤチップおよび第２ＬＥＤチップを含み、前記第１方向端部において前記第１ＬＥＤチップと前記第２ＬＥＤチップとが交互に配列されている。
【０００９】
本発明の好ましい実施の形態においては、前記ＬＥＤユニットは、前記複数のＬＥＤチップが搭載された主面を有するＬＥＤ基板と、前記複数のＬＥＤチップに電力を供給する電源部と、前記電源部に接続されたケーブルと、前記ＬＥＤ基板の前記主面に取り付けられ且つ前記ケーブルが接続される複数のコネクタと、を有しており、前記ＬＥＤ基板は、前記ケーブルを挿通させるケーブル孔を有し、前記コネクタは、前記第１ＬＥＤチップに電力を供給するための第１コネクタと、前記第２ＬＥＤチップに電力を供給する第２コネクタとを含み、前記第１コネクタから前記ケーブル孔までの距離と、前記第２コネクタから前記ケーブル孔までの距離は、互いに異なる。
【発明の効果】
【００１０】
本発明によれば、作業性を向上させることができる。
【００１１】
本発明のその他の特徴および利点は、添付図面を参照して以下に行う詳細な説明によって、より明らかとなろう。
【図面の簡単な説明】
【００１２】
【図１】本発明の第１実施形態に係る照明装置を示す斜視図である。
【図２】本発明の第１実施形態に係る照明装置を示す平面図である。
【図３】図２のＩＩＩ−ＩＩＩ線に沿う断面図である。
【図４】図２のＩＶ−ＩＶ線に沿う断面図である。
【図５】本発明の第１実施形態に係る照明装置のＬＥＤユニットを示す分解斜視図である。
【図６】本発明の第１実施形態に係る照明装置を示す要部側面図である。
【図７】図６のＶＩＩ−ＶＩＩ線に沿う要部拡大断面図である。
【図８】（ａ），（ｂ）は、本発明の第１実施形態に係る照明装置のＬＥＤユニットを示す要部拡大斜視図である。
【図９】本発明の第１実施形態に係る照明装置のＬＥＤユニットを示す側面図である。
【図１０】図９のＸ−Ｘ線に沿う要部拡大断面図である。
【図１１】本発明の第１実施形態に係る照明装置のＬＥＤユニットを示す平面図である。
【図１２】本発明の第１実施形態に係る照明装置のＬＥＤユニットを示す要部拡大平面図である。
【図１３】本発明の第１実施形態に係る照明装置のＬＥＤユニットを示す要部拡大平面図である。
【図１４】本発明の第１実施形態に係る照明装置の係合部材を示す、（ａ）は斜視図であり、（ｂ）は正面図であり、（ｃ）は側面図である。
【図１５】本発明の第１実施形態に係る照明装置の弾性保持部を示す、（ａ）は斜視図であり、（ｂ）は正面図であり、（ｃ）は平面図である。
【図１６】本発明の第１実施形態に係る照明装置の組み立てを示す斜視図である。
【図１７】本発明の第１実施形態に係る照明装置の第１姿勢を示す斜視図である。
【図１８】本発明の第１実施形態に係る照明装置の第１姿勢を示す断面図である。
【図１９】本発明の第１実施形態に係る照明装置の中間姿勢を示す斜視図である。
【図２０】本発明の第１実施形態に係る照明装置の中間姿勢を示す断面図である。
【図２１】本発明の第１実施形態に係る照明装置の電源部の第１変形例を示すブロック図である。
【図２２】本発明の第１実施形態に係る照明装置の電源部の第１変形例による調色制御および調光制御を示すグラフである。
【発明を実施するための形態】
【００１３】
以下、本発明の好ましい実施の形態につき、図面を参照して具体的に説明する。
【００１４】
本開示における「第１」、「第２」、「第３」等の用語は、単にラベルとして用いたものであり、必ずしもそれらの対象物に順列を付することを意図していない。
【００１５】
＜第１実施形態＞
図１〜図２０は、本発明の第１実施形態に係る照明装置を示している。本実施形態の照明装置Ａ１は、支持ユニットＢ１およびＬＥＤユニットＣ１を備えている。照明装置Ａ１は、たとえば屋内の天井等に取り付けられて使用される照明装置である。
【００１６】
図１は、照明装置Ａ１を示す斜視図である。図２は、照明装置Ａ１を示す平面図である。図３は、図２のＩＩＩ−ＩＩＩ線に沿う断面図である。図４は、図２のＩＶ−ＩＶ線に沿う断面図である。
【００１７】
以降の説明において、ｘ方向は、本発明の第１方向に相当し、ｙ方向は、本発明の第２方向に相当する。ｚ方向は、本発明の第３方向に相当し、鉛直方向と一致する場合を例に説明する。また、平面図は、便宜上、照明装置Ａ１が天井に取り付けられた場合に、鉛直方向下方から見た図である。
【００１８】
＜支持ユニットＢ１＞
支持ユニットＢ１は、天井等に取り付けられた状態で、ＬＥＤユニットＣ１を支持するユニットである。本実施形態の支持ユニットＢ１は、固定側ケース１、複数の係合部材２および複数の弾性保持部３を有する。
【００１９】
＜固定側ケース１＞
固定側ケース１は、ＬＥＤユニットＣ１の少なくとも一部を収容するものである。図１〜図４に示すように、本実施形態の固定側ケース１は、底板部１１、２つの側板部１２および２つの端板部１３を有する。固定側ケース１の材質は特に限定されず、たとえば金属板に切断加工や折曲げ加工を施すことによって形成される。
【００２０】
底板部１１は、ｚ方向において天井等の設置箇所側に位置する部位である。底板部１１の形状は特に限定されず、図示された例においては、ｘ方向を長手方向とする長矩形状である。２つの側板部１２は、底板部１１のｙ方向両側端に繋がっている。２つの側板部１２は、各々がｙ方向に対して直角であり、ｙ方向に離間して互いに対向している。側板部１２の形状は特に限定されず、図示された例においては、ｘ方向を長手方向とする長矩形状である。図示された例においては、側板部１２には、開口１２１が設けられている。１２１は、側板部１２をｙ方向に貫通しており、たとえばｘ方向に長く延びる長矩形状である。開口１２１の個数は特に限定されず、図示された例においては、側板部１２に２つの開口１２１が設けられている。開口１２１は、たとえば、複数のＬＥＤチップ６や電源部８１からの熱を外部に逃がす効果を奏する。２つの端板部１３は、底板部１１のｘ方向両側端に繋がっている。２つの端板部１３は、各々がｘ方向に対して直角であり、ｘ方向に離間して互いに対向している。端板部１３の形状は特に限定されず、図示された例においては、ｙ方向を長手方向とする長矩形状である。
【００２１】
＜係合部材２＞
係合部材２は、ＬＥＤユニットＣ１と係合するための部材である。本実施形態においては、図１６に示すように、２つの係合部材２が、ｘ方向に互いに離間して配置されている。図示された例においては、２つの係合部材２は、２つの端板部１３の内面のうちｙ方向一方側に偏った位置にそれぞれ取り付けられている。
【００２２】
図１４に示すように、本実施形態の係合部材２は、主板部２１、複数の側板部２２、複数の端板部２３および複数のフランジ部２４を有する。係合部材２の材質は特に限定されず、たとえば、金属板に切断加工や折曲げ加工を施すことによって形成される。
【００２３】
主板部２１は、ｚ方向に沿って長く延びており且つｙ方向に沿う部位である。図示された例においては、主板部２１には、スリット２１１が形成されている。スリット２１１は、後述のＬＥＤユニットＣ１の一部を係合させるためのものであり、スリット２１１のｙ方向一端からｚ方向斜め下方に向かって延びている。複数の側板部２２は、主板部２１のｙ方向両端から、ｘ方向に延びている。複数の端板部２３は、主板部２１のｚ方向両端からｘ方向において側板部２２が延びる側と同じ側に延びている。複数のフランジ部２４は、複数の端板部２３のｘ方向端部からｚ方向に各々が延びている。図示された例においては、２つのフランジ部２４がｚ方向において互いに反対側に延びている。また、一方のフランジ部２４には、たとえばねじを挿通させ、あるいはねじと螺合する孔が設けられている。
【００２４】
＜弾性保持部３＞
弾性保持部３は、ＬＥＤユニットＣ１に対して係合した状態と係合が解除された状態とをとるものであり、ＬＥＤユニットＣ１を支持ユニットＢ１の固定側ケース１に収容された状態に保持するための弾性力を発揮する。本実施形態においては、図１６に示すように、２つの弾性保持部３が、２つの係合部材２に対してｙ方向他方側に配置されている。図示された例においては、２つの弾性保持部３は、底板部１１の内面に取り付けられている。
【００２５】
図１５に示すように、本実施形態の弾性保持部３は、土台部３１およびばね３２を有する。土台部３１は、ばね３２を保持するとともに、固定側ケース１の底板部１１等に取り付けられる部位である。土台部３１の材質は特に限定されず、たとえば、金属板に切断加工や折曲げ加工を施すことによって形成される。図示された例においては、土台部３１は、２つの延出部３１１を有する。２つの延出部３１１は、ｘ方向両側に延出している。
【００２６】
ばね３２は、たとえばばね鋼線によって形成されたいわゆるトーションばねであり、アーム部３２１と２つの巻線部３２２とを有する。２つの巻線部３２２は、ｙ方向に延びる軸周りにそれぞれ巻かれており、２つの延出部３１１にそれぞれ取り付けられている。アーム部３２１は、２つの巻線部３２２からｘ方向に延びており、ｚ方向視においてｘ方向に長く延びるコの字上であり、ｘ方向視において緩やかな円弧形状である。図１５（ｂ）に示す状態から、アーム部３２１をｚ方向下方に揺動させると、ｚ方向上方に復帰しようとする弾性力が生じる。
【００２７】
＜ＬＥＤユニットＣ１＞
ＬＥＤユニットＣ１は、支持ユニットＢ１に支持された状態で、床面等の周辺環境を照らすためのユニットである。ＬＥＤユニットＣ１は、図１、図４および図１７〜図２０後述するように支持ユニットＢ１に対してｘ方向に延びる軸周りに回転可能に支持されている。本実施形態のＬＥＤユニットＣ１は、図５に示すように、可動側ケース４、ＬＥＤ基板５、複数のＬＥＤチップ６、電源部８１および透光カバー９１を有している。なお、図５は、図１に示すようにＬＥＤユニットＣ１が支持ユニットＢ１に支持された姿勢（本発明の第１姿勢）を示している。なお、図５は、ＬＥＤユニットＣ１を示す分解斜視図である。図１１は、ＬＥＤユニットＣ１を示す平面図である。図１２および図１３は、ＬＥＤユニットＣ１を示す要部拡大平面図である。図１１〜図１３においては、理解の便宜上、透光カバー９１を省略している。
【００２８】
＜可動側ケース４＞
可動側ケース４は、ＬＥＤ基板５およびＬＥＤチップ６を収容するものであり、支持ユニットＢ１の外観の大部分をなしている。図示された例においては、可動側ケース４は、主支持部４０、２つの第１副支持部４１および２つの第２副支持部４２を有する。
【００２９】
主支持部４０は、ＬＥＤ基板５や電源部８１が取り付けられる部位である。図示された例においては、主支持部４０は、底板部４０１および２つの側板部４０２を有する。主支持部４０の材質は特に限定されず、たとえば、金属板に切断加工や折曲げ加工を施すことによって形成される。なお、主支持部４０が金属からなる場合、ＬＥＤチップ６からの放熱を促進する、いわゆるヒートシンクとしての機能が期待できる。
【００３０】
底板部４０１は、ｚ方向において支持ユニットＢ１の固定側ケース１の底板部１１側に位置する部位である。底板部４０１の形状は特に限定されず、図示された例においては、ｘ方向を長手方向とする長矩形状である。２つの側板部４０２は、底板部４０１のｙ方向両側端に繋がっている。２つの側板部４０２は、各々がｙ方向に対して概ね直角であり、ｙ方向に離間して互いに対向している。側板部４０２の形状は特に限定されず、図示された例においては、概ねｘ方向を長手方向とする長矩形状である。また、図示された例においては、側板部４０２のｚ方向下端には、透光カバー９１を固定するための折り返し部が形成されている。なお、主支持部４０の内面には、複数のＬＥＤチップ６からの光を反射する反射シートを設けてもよい。
【００３１】
２つの第１副支持部４１は、主支持部４０のｙ方向両側に配置されており、たとえばねじや係合等によって主支持部４０に固定されている。図示された例においては、図４に示すように、主支持部４０の側板部４０２と第１副支持部４１との間には、空間が設けられている。また、第１副支持部４１のｚ方向下端には、透光カバー９１を固定するための折り返し部が形成されており、たとえば側板部４０２の折り返し部との間に透光カバー９１が挿入される。第１副支持部４１の材質は特に限定されず、たとえば、金属板に切断加工や折曲げ加工を施すことによって形成される。
【００３２】
２つの第２副支持部４２は、主支持部４０のｘ方向両側に配置されており、たとえばねじや係合等によって主支持部４０に固定されている。第２副支持部４２の材質は特に限定されず、図示された例においては、ポリカーボネート等の樹脂からなる。
【００３３】
図８〜図１０に示すように、第２副支持部４２は、係合部４２１および挿通孔４２２を有する。なお、図８は、ＬＥＤユニットＣ１の組み立てる状態を示すものであり、図５や図９および図１０とはｚ方向が上下逆に示されている。挿通孔４２２は、第２副支持部４２をｘ方向に貫通する孔であり、図示された例においては、ｙ方向およびｚ方向に対して傾いた方向に長く延びた形状の孔である。係合部４２１は、挿通孔４２２に隣接しており、図示された例においては、第２副支持部４２の一部の厚さ（ｘ方向寸法）が薄くなっており、ｘ方向外方から内方に向けて凹んだ部位である。本実施形態においては、第２副支持部４２には、２つの係合部４２１および２つの挿通孔４２２が形成されている。２つの係合部４２１および２つの挿通孔４２２は、第２副支持部４２のｚ方向下端寄りに配置されており、ｙ方向において互いに離間している。
【００３４】
また、第１副支持部４１には、係合爪４１１が形成されている。係合爪４１１は、第１副支持部４１のｘ方向端部からｘ方向に突出した部位である。図示された例においては、１つの第１副支持部４１のｘ方向両側に２つの係合爪４１１が設けられている。ＬＥＤユニットＣ１の組み立てにおいては、図８（ａ）に示すように、未だ折り曲げられていないｘ方向に沿った状態の係合爪４１１を第２副支持部４２の挿通孔４２２に挿通させる。ついで、同図（ｂ）に示すように、係合爪４１１を係合部４２１側に折り曲げる。これにより、図１０に示すように、折り曲げられた係合爪４１１が係合部４２１と係合する。
【００３５】
本実施形態においては、図６、図７および図１６に示すように、第２副支持部４２に２つのボス部４２３が設けられている。なお、図６は、固定側ケース１の一方（図中手前）の端板部１３を省略した側面図である。２つのボス部４２３は、第２副支持部４２の長手方向（図１６における両側）に離間して設けられている。２つのボス部４２３には、それぞれ雌ねじが設けられており、ねじ４８が螺合されている。また、一方のボス部４２３と、ねじ４８の頭との間（図１６における図中上方のボス部４２３と、ねじ４８の頭との間）には、スリーブ４９が設けられている。
【００３６】
本実施形態においては、図４〜図６および図１６に示すように、可動側ケース４にばね係止具４５が取り付けられている。ばね係止具４５は、支持ユニットＢ１の弾性保持部３のばね３２のアーム部３２１に係止されるものである。図示された例においては、支持ユニットＢ１に２つの弾性保持部３が設けられていることに対応して、２つのばね係止具４５が設けられている。ばね係止具４５には、凹部４５１が形成されている。凹部４５１は、弾性保持部３のアーム部３２１がｘ方向にずれることを防止するためのものである。
【００３７】
＜ＬＥＤ基板５＞
ＬＥＤ基板５は、複数のＬＥＤチップ６を支持し、かつ複数のＬＥＤチップ６への電力供給経路を構成するものである。本実施形態のＬＥＤ基板５は、図３〜図５に示すように、可動側ケース４の主支持部４０の底板部４０１に取り付けられている。ＬＥＤ基板５の取り付けは、ねじや接着等によってなされる。ＬＥＤ基板５の具体的構成は特に限定されず、たとえばガラスエポキシ樹脂等の絶縁材料からなる基材と、当該基材上に形成された配線パターン（図示略）を有する。ＬＥＤ基板５は、互いに反対側を向く主面５ａおよび裏面５ｂを有する。主面５ａには、複数のＬＥＤチップ６が搭載されている。裏面５ｂは、底板部４０１に対面している。ＬＥＤ基板５の形状や個数は、特に限定されない。本実施形態においては、ＬＥＤ基板５は、ｘ方向を長手方向とする長矩形状である。また、２つのＬＥＤ基板５がｙ方向に並んで主支持部４０に配置されている。
【００３８】
＜ＬＥＤチップ６＞
ＬＥＤチップ６は、ＬＥＤユニットＣ１（照明装置Ａ１）の光源である。本実施形態においては、複数のＬＥＤチップ６が、ＬＥＤ基板５の主面５ａに搭載されている。ＬＥＤチップ６の構成は、特に限定されず、いわゆるＬＥＤベアチップの形態でもよいし、リードや基板に実装されたＬＥＤベアチップが透光樹脂に覆われたいわゆるＬＥＤモジュールであってもよい。たとえば、ＬＥＤチップ６がＬＥＤモジュールである場合、ＬＥＤベアチップが青色光を発し、透光樹脂が青色光によって励起されることにより黄色光を発する蛍光材料を含む構成であれば、ＬＥＤチップ６からは白色光を発することができる。
【００３９】
本実施形態においては、複数のＬＥＤチップ６は、図１１〜図１３に示すように、第１ＬＥＤチップ６１および第２ＬＥＤチップ６２を含む。第１ＬＥＤチップ６１および第２ＬＥＤチップ６２は、発する光の色温度が互いに異なる。図中においては、理解の便宜上、第１ＬＥＤチップ６１に着色している。たとえば、第１ＬＥＤチップ６１は、色温度が３０００Ｋ程度のいわゆる電球色の光を発し、第２ＬＥＤチップ６２は、色温度が６５００Ｋ程度のいわゆる昼光色の光を発する。
【００４０】
図示された例においては、複数のＬＥＤチップ６は、ｘ方向およびｙ方向に沿ったマトリクス状に配置されており、第１ＬＥＤチップ６１同士または第２ＬＥＤチップ６２同士が隣接しないように、第１ＬＥＤチップ６１と第２ＬＥＤチップ６２とが交互に配置されている。すなわち、ｘ方向およびｙ方向のいずれにおいても、第１ＬＥＤチップ６１同士または第２ＬＥＤチップ６２同士が隣接しない配置とされている。特に、図１３に示すように、ｘ方向端部において、第１ＬＥＤチップ６１と第２ＬＥＤチップ６２とがｙ方向に交互に並べられている。なお、複数のＬＥＤチップ６の一部に第１ＬＥＤチップ６１同士または第２ＬＥＤチップ６２同士が隣接する配置であってもよい。
【００４１】
図１１および図１２に示すように、本実施形態においては、ＬＥＤ基板５には、第１コネクタ７１、第２コネクタ７２およびコネクタ７３が取り付けられている。第１コネクタ７１は、ＬＥＤ基板５の配線パターン（図示略）を経由して第１ＬＥＤチップ６１に導通している。第２コネクタ７２は、ＬＥＤ基板５の配線パターン（図示略）を経由して第２ＬＥＤチップ６２に導通している。コネクタ７３は、隣り合うＬＥＤ基板５の配線パターン同士を適宜導通させるためのジャンパー配線に用いられる。
【００４２】
また、本実施形態においては、主支持部４０にケーブル孔４０３が形成されている。ケーブル孔４０３は、底板部４０１を貫通しており、図示略隣り合う２つのＬＥＤ基板５の間に位置している。ケーブル孔４０３には、第１ケーブル８４および第２ケーブル８５が挿通されている。第１ケーブル８４および第２ケーブル８５は、電源部８１に接続されている。第１ケーブル８４は、第１ＬＥＤチップ６１に電力を供給するためのものである。第２ケーブル８５は、第２ＬＥＤチップ６２に電力を供給するためのものである。図１２に示すように、ケーブル孔４０３から第１コネクタ７１までの距離Ｄ１と、ケーブル孔４０３から第２コネクタ７２までの距離Ｄ２は互いに異なっている。図示された例においては、距離Ｄ１が距離Ｄ２よりも長い。また、隣り合うＬＥＤ基板５において、距離Ｄ１，Ｄ２の関係は、同様である。第１コネクタ７１には、第１ケーブル８４の先端に設けられたコネクタ７１１が接続されている。第２コネクタ７２には、第２ケーブル８５の先端に設けられたコネクタ７２１が接続されている。
【００４３】
＜電源部８１＞
電源部８１は、入力された電力を複数のＬＥＤチップ６を点灯させるのに適した電力に変換し、出力するものである。本実施形態においては、図３〜図５および図１６に示すように、可動側ケース４の主支持部４０の底板部４０１の外面（ｚ方向上面）に電源部８１が取り付けられている。電源部８１の構成は特に限定されず、図示された例においては、電源部８１は、電源ケース８１１、電源基板８１２および複数の電子部品８１３を有する。電源ケース８１１は、電源基板８１２および複数の電子部品８１３を収容しており、たとえば樹脂製の箱状部材である。電源基板８１２は、複数の電子部品８１３が実装されるものであり、たとえばガラスエポキシ樹脂からなる配線基板である。複数の電子部品８１３は、電力変換機能等を果たす電気回路を構成するものであり、たとえばトランス、トランジスタ、コンデンサ、抵抗器、ドライバ素子等である。
【００４４】
本実施形態においては、図１に示すように、支持ユニットＢ１に端子台８７が設けられている。端子台８７は、たとえば商用の１００Ｖ交流電源から受電するためのものである。端子台８７は、図示しないケーブルによって電源部８１に接続されている。本例では、電源部８１は、端子台８７を経由して１００Ｖ交流電力が入力され、直流電力に変換して出力する。
【００４５】
また、図５および図１６に示すように、ＬＥＤユニットＣ１は、通信部８３を有する。通信部８３は、たとえば無線通信等によって、外部からの点灯制御信号を受信したり、照明装置Ａ１の状態信号を送信したりする部位である。
【００４６】
＜透光カバー９１＞
透光カバー９１は、可動側ケース４に取り付けられており、複数のＬＥＤチップ６をｚ方向下方から覆っている。透光カバー９１は、複数のＬＥＤチップ６からの光を透過する樹脂等からなる板状部材である。また、透光カバー９１は、たとえば半透明の乳白色の樹脂からなることにより、複数のＬＥＤチップ６からの光を拡散させつつ透過するものであってもよい。本実施形態においては、透光カバー９１は、ｘ方向を長手方向とし、ｙ方向を短手方向とする長矩形状である。
【００４７】
＜照明装置Ａ１の組み立ておよび使用＞
次に、照明装置Ａ１の組み立てや使用について以下に説明する。
【００４８】
図１６は、支持ユニットＢ１からＬＥＤユニットＣ１が外された状態を示している。ＬＥＤユニットＣ１を支持ユニットＢ１に取り付けるには、まず、ＬＥＤユニットＣ１の第２副支持部４２の長手方向がｚ方向に沿う姿勢とすることが好ましい。次いで、図中の一点鎖線の矢印で示すように、支持ユニットＢ１を移動させる。図示された例においては、可動側ケース４に取り付けられたスリーブ４９を、係合部材２のスリット２１１に進入させ、図６および図７に示すように、スリーブ４９をスリット２１１の内方端部に係合させる。ＬＥＤユニットＣ１のｘ方向両側において２つのスリーブ４９を２つの係合部材２のスリット２１１に係合させることにより、ＬＥＤユニットＣ１は、図１７および図１８に示すように、ｘ方向に延びる軸周りに回転可能に支持ユニットＢ１に支持された状態となる。この際、弾性保持部３のばね３２のアーム部３２１は、ＬＥＤユニットＣ１のばね係止具４５には、いまだ係止されておらず、弾性保持部３による保持が解かれている。また、ＬＥＤユニットＣ１は、第２副支持部４２の長手方向や透光カバー９１およびＬＥＤ基板５の短手方向がｚ方向に沿って重力に従って垂下している。このＬＥＤユニットＣ１の姿勢を、本発明の第１姿勢とする。ＬＥＤユニットＣ１が第１姿勢であるときに、たとえば、端子台８７と電源部８１とに接続されるケーブル（図示略）の配線作業を行う。
【００４９】
なお、係合部材２には、ＬＥＤユニットＣ１の一部を係合させればよく、スリーブ４９を係合させる形態はその一例である。たとえば、ねじ４８やボス部４２３、あるいはこれら以外の部位や部品を係合部材２に係合させてもよい。また、係合部材２の具体的構成は、係合させるＬＥＤユニットＣ１の部位に応じて適宜変更すればよく、ＬＥＤユニットＣ１がｘ方向に延びる軸周りに回転可能に係合するものであればよい。
【００５０】
次に、スリーブ４９を係合部材２に係合させたことによりＬＥＤユニットＣ１のｙ方向一端側に構成されたｘ方向に延びる軸周りに、ＬＥＤユニットＣ１を回転させることにより、図１９および図２０に示すように、ＬＥＤユニットＣ１のｙ方向他端を支持ユニットＢ１の固定側ケース１に接近させる。そして、弾性保持部３のばね３２のアーム部３２１をばね係止具４５に係止させ、弾性保持部３によってＬＥＤユニットＣ１を図示された状態で保持する。このＬＥＤユニットＣ１の姿勢を、中間姿勢とする。なお、本実施形態においては、使用者が、弾性保持部３の弾性力に抗してＬＥＤユニットＣ１を保持している場合に、中間姿勢が維持される。
【００５１】
そして、使用者がＬＥＤユニットＣ１から手を離す等により、ＬＥＤユニットＣ１の保持を終えると、ＬＥＤユニットＣ１は、弾性保持部３の弾性力によって、支持ユニットＢ１の固定側ケース１内に引き込まれるように回転する。この結果、図１および図４に示すように、ＬＥＤユニットＣ１は、第２副支持部４２の長手方向や透光カバー９１およびＬＥＤ基板５の短手方向がｙ方向に沿った姿勢で、固定側ケース１に収容される。このＬＥＤユニットＣ１の姿勢を、本発明の第２姿勢とする。以上の手順により、照明装置Ａ１の組み立てが完了する。なお、弾性保持部３の弾性力は、ＬＥＤユニットＣ１を中間姿勢から第２姿勢に自動的に回転させる程度の強さに限定されず、たとえば弾性保持部３の弾性力のみでは、中間姿勢から第２姿勢への回転が開始されず、使用者が補助する等によって、回転が開始される構成であってもよい。
【００５２】
図１および図４に示された第２姿勢は、照明装置Ａ１が天井に設置され、複数のＬＥＤチップ６が点灯することにより、床面等を照らす姿勢である。照明装置Ａ１の使用を経て、内部の点検や部品の交換、さらにはＬＥＤユニットＣ１の交換を行う場合は、第２姿勢からＬＥＤユニットＣ１のｙ方向他端部分をｚ方向下方に引き下ろすことにより、ＬＥＤユニットＣ１を第２姿勢から図１９および図２０に示す中間姿勢とする。次いで、弾性保持部３のアーム部３２１をばね係止具４５から外すことにより、ＬＥＤユニットＣ１は、重力にしたがって、ｚ方向に沿った状態に垂下する。これにより、ＬＥＤユニットＣ１は、図１７および図１８に示す第１姿勢をとる。この状態で、内部の点検や部品の交換を行う。さらに、ＬＥＤユニットＣ１の一部であるスリーブ４９と係合部材２との係合を解くことにより、図１６に示すように、支持ユニットＢ１からＬＥＤユニットＣ１を取り外し、別のＬＥＤユニットＣ１に交換する。
【００５３】
次に、照明装置Ａ１の作用について説明する。
【００５４】
本実施形態によれば、ＬＥＤユニットＣ１は、図１６および図１７に示す第１姿勢をとる。第１姿勢では、ＬＥＤユニットＣ１は、弾性保持部３によって保持されておらず、重力に従ってｚ方向に沿って垂下している。このため、ＬＥＤユニットＣ１と支持ユニットＢ１との間には、たとえばＬＥＤユニットＣ１が弾性保持部３によって保持された中間姿勢と比べて、顕著に大きなスペースが生じる。また、ＬＥＤユニットＣ１の各部が、より外観に表れた状態となる。しかも、第１姿勢を維持するために使用者がＬＥＤユニットＣ１を手によって保持等する必要がない。したがって、照明装置Ａ１によれば、内部の点検や部品の交換、さらにはＬＥＤユニットＣ１の交換等の作業性を向上させることができる。
【００５５】
また、係合部材２へのスリーブ４９の係合を解除すれば、ＬＥＤユニットＣ１を支持ユニットＢ１から容易に取り外すことが可能である。これは、ＬＥＤユニットＣ１の交換作業の容易化に有利である。
【００５６】
また、ＬＥＤユニットＣ１は、ばね係止具４５に弾性保持部３のアーム部３２１を係止することにより、図１９および図２０に示す中間姿勢をとる。この中間姿勢をとった後は、使用者がＬＥＤユニットＣ１を保持する手を離すと、弾性保持部３のばね３２の弾性力により、ＬＥＤユニットＣ１は、自動的に支持ユニットＢ１内に収容され、第２姿勢をとる。したがって、使用者の作業負担を軽減することができる。また、ＬＥＤユニットＣ１が、誤って中間姿勢のまま放置されることを回避することができる。
【００５７】
図８〜図１０に示すように、可動側ケース４を構成する第１副支持部４１と第２副支持部４２とは、挿通孔４２２を挿通された係合爪４１１が係合部４２１に係合することにより、互いに結合されている。これにより、第１副支持部４１と第２副支持部４２との境界に意図しない隙間が生じることを抑制することが可能であり、不当な光漏れ等を防止することができる。また、係合爪４１１、係合部４２１および挿通孔４２２は、ｚ方向において底板部４０１とは反対側の透光カバー９１に近い側に設けられている。これにより、透光カバー９１の周辺に意図しない隙間が生じることをより確実に抑制することができる。
【００５８】
図１３に示すように、複数のＬＥＤチップ６は、ｘ方向端部において、第１ＬＥＤチップ６１と第２ＬＥＤチップ６２とがｙ方向に交互に配置されている。これにより、ｘ方向端部において第１ＬＥＤチップ６１または第２ＬＥＤチップ６２が発する光の色温度に偏った状態となることを回避することができる。特に、第２副支持部４２が透光性の材料からなる場合、第２副支持部４２を透して出射される光の色温度が、第１ＬＥＤチップ６１または第２ＬＥＤチップ６２のいずれかの色温度に偏ってしまうことを抑制するのに好ましい。
【００５９】
図１２に示すように、第１ＬＥＤチップ６１に給電するための第１コネクタ７１とケーブル孔４０３との距離Ｄ１と、第２ＬＥＤチップ６２に給電するための第２コネクタ７２とケーブル孔４０３との距離Ｄ２とは、互いに異なっており、図示された例においては、距離Ｄ１が距離Ｄ２よりも大きい。このため、第１コネクタ７１に接続すべき第１ケーブル８４の長さを相対的に長く設定し、第２コネクタ７２に接続すべき第２ケーブル８５の長さを相対的に短くするとともに、第１コネクタ７１には到達し得ない長さとすることにより、第１コネクタ７１および第２コネクタ７２と第１ケーブル８４および第２ケーブル８５とを誤って入れ違いに接続することを防止することができる。
【００６０】
図２１および図２２は、照明装置Ａ１の電源部８１の変形例を示している。図２１に示すように、本変形例の電源部８１は、第１ＡＣ／ＤＣ変換部８１５、第２ＡＣ／ＤＣ変換部８１６および制御部８１７を有する。
【００６１】
第１ＡＣ／ＤＣ変換部８１５と第２ＡＣ／ＤＣ変換部８１６とには、端子台８７に接続されたケーブルを介して、たとえば商用の１００Ｖ交流電力が供給される。第１ＡＣ／ＤＣ変換部８１５は、交流電力を変換して、色温度が３０００Ｋの複数の第１ＬＥＤチップ６１に直流電力を供給するものである。第２ＡＣ／ＤＣ変換部８１６は、交流電力を変換して、色温度が６５００Ｋの複数の第２ＬＥＤチップ６２に電流を供給するものである。
【００６２】
制御部８１７は、第１ＡＣ／ＤＣ変換部８１５および第２ＡＣ／ＤＣ変換部８１６の電力変換機能を制御するものである。制御部８１７からの制御信号にしたがって、第１ＡＣ／ＤＣ変換部８１５および第２ＡＣ／ＤＣ変換部８１６は、複数の第１ＬＥＤチップ６１および複数の第２ＬＥＤチップ６２に所定の電流を出力するように制御される。
【００６３】
また、制御部８１７には、通信部８３を通じて、無線通信等によって制御指示が与えられる。なお、通信部８３は、電源部８１とは別体として設けられていてもよいし、電源部８１の電源ケース８１１内に収容されていてもよい。
【００６４】
図２２は、本変形例の電源部８１による調色制御および調光制御の一例を示している。同図に示すように、電源部８１の制御部８１７は、複数の第１ＬＥＤチップ６１および複数の第２ＬＥＤチップ６２を有するＬＥＤユニットＣ１の全光束が所望の状態に変化するように、第１ＡＣ／ＤＣ変換部８１５および第２ＡＣ／ＤＣ変換部８１６に制御信号を送る。図示された例においては、色温度が３０００Ｋ〜５０００Ｋの範囲においては、色温度が高くなるに従って徐々に全光束が大きくなるように、制御部８１７は制御信号を送る。色温度が５０００Ｋ以上の範囲では、色温度の変化に対して全光束が一定となるように、制御部８１７は制御信号を送る。このような制御を行うことにより、オフィス等の照明において好まれる色温度である５０００Ｋ以上では、照度を一定に保つことができるとともに、色温度が５０００Ｋ未満の領域では、色温度の低下と共に照度を下げるので、心地よい照明環境を作り出すことができる。
【００６５】
また、たとえば、すべての色温度において全光束を上下させる調光制御を行う場合、図２２の実線で示す制御パターンを調光率１００％の制御パターンとする。そして、所望の調光率が得られるように、制御パターンを変更して制御する。調光率の最大値が１００％であるため、たとえば点線で例示された制御パターンのように、調光率１００％の制御パターンを図中下方に平行移動させた制御パターンを採用すればよい。図示された点線の制御パターンは、調光率８０％の制御パターンを示している。
【００６６】
本発明に係る照明装置は、上述した実施形態に限定されるものではない。本発明に係る照明装置の各部の具体的な構成は、種々に設計変更自在である。
【符号の説明】
【００６７】
Ａ１    ：照明装置
Ｂ１    ：支持ユニット
Ｃ１    ：ＬＥＤユニット
１      ：固定側ケース
２      ：係合部材
３      ：弾性保持部
４      ：可動側ケース
５      ：ＬＥＤ基板
５ａ    ：主面
５ｂ    ：裏面
６      ：ＬＥＤチップ
１１    ：底板部
１２    ：側板部
１３    ：端板部
２１    ：主板部
２２    ：側板部
２３    ：端板部
２４    ：フランジ部
３１    ：土台部
３２    ：ばね
４０    ：主支持部
４１    ：第１副支持部
４２    ：第２副支持部
４５    ：ばね係止具
４８    ：ねじ
４９    ：スリーブ
６１    ：第１ＬＥＤチップ
６２    ：第２ＬＥＤチップ
７１    ：第１コネクタ
７２    ：第２コネクタ
７３    ：コネクタ
８１    ：電源部
８３    ：通信部
８４    ：第１ケーブル
８５    ：第２ケーブル
８７    ：端子台
９１    ：透光カバー
１２１  ：開口
２１１  ：スリット
３１１  ：延出部
３２１  ：アーム部
３２２  ：巻線部
４０１  ：底板部
４０２  ：側板部
４０３  ：ケーブル孔
４１１  ：係合爪
４２１  ：係合部
４２２  ：挿通孔
４２３  ：ボス部
４５１  ：凹部
７１１，７２１：コネクタ
８１１  ：電源ケース
８１２  ：電源基板
８１３  ：電子部品
８１５  ：第１ＡＣ／ＤＣ変換部
８１６  ：第２ＡＣ／ＤＣ変換部
８１７  ：制御部
Ｄ１，Ｄ２：距離
【図１】
2020035734.tif 000003
【図２】
2020035734.tif 000004
【図３】
2020035734.tif 000005
【図４】
2020035734.tif 000006
【図５】
2020035734.tif 000007
【図６】
2020035734.tif 000008
【図７】
2020035734.tif 000009
【図８】
2020035734.tif 000010
【図９】
2020035734.tif 000011
【図１０】
2020035734.tif 000012
【図１１】
2020035734.tif 000013
【図１２】
2020035734.tif 000014
【図１３】
2020035734.tif 000015
【図１４】
2020035734.tif 000016
【図１５】
2020035734.tif 000017
【図１６】
2020035734.tif 000018
【図１７】
2020035734.tif 000019
【図１８】
2020035734.tif 000020
【図１９】
2020035734.tif 000021
【図２０】
2020035734.tif 000022
【図２１】
2020035734.tif 000023
【図２２】
2020035734.tif 000024